(57)【要約】      （修正有）【課題】水平方向及び垂直方向に回動出来るフィトレストであり、その回動が円滑に行われ前後方向及び上下方向への移動も可能な介護用歩行機のフィトレストを提供する。【解決手段】介護用歩行機の下方に設けられた下部フレーム７には足載せ用機構部１が上下動又は前後動可能に取り付けられ、この足載せ用機構部１には足載せ用回動機構部２が回動自在に取り付けられている。足載せ用回動機構部２には被介護人の足の載っかる足載せ板３が搭載される。また、この足載せ板３と足載せ用機構部１との間には足載せ板３を円滑に水平方向と垂直方向に移動させるスプリング４が連結されている。以上の構造により足載せ板３を容易に、かつ円滑に移動させることが出来る。【選択図】図３
0003216035.tif 000002
【実用新案登録請求の範囲】
【請求項１】
タイヤやキャスタを支持する下部フレームに下端側を回動自在に保持されて立ち上がるガイド柱体と該ガイド柱体に摺動可能に保持される摺動柱体と該摺動柱体に回動自在に保持され座接用クッション板や背当てを夫々片持ち回動自在に支持する座接用サイドフレームと該座接用サイドフレームを上下動させる上下動機構部や把持用部材及びブレーキ等を有する介護用歩行機に使用者の足載せ用に前記下部フレーム側に回動自在に支持されるフィトレストであって、該フィトレストは前記下部フレームに上下動及び前後動可能に支持される足載せ用機構部と該足載せ用機構部に回動自在に支持される足載せ用回動機構部と該足載せ用回動機構部に搭載される足載せ板と該足載せ板と前記足載せ用機構部との間に連結されるスプリングとを有することを特徴とする介護用歩行機のフィトレスト。
【考案の詳細な説明】
【技術分野】
【０００１】  本考案は、自分で自分の希望する場所に歩行出来ると共に介護人の助けにより楽な姿勢で目的地に行けるように形成された介護用歩行機のフィトレストに関する。
【背景技術】
【０００２】  介護用歩行機としては各種のものがあるが本考案に使用されているものは自力で目的地に歩行出来る形態のものからなるが場合により補助人の助けにより目的地に行くことが出来る形態のものである。この場合被介護人は自分の足を楽な姿勢に保つことが望ましい。そのためには本考案の採用される介護用歩行機には被介護人の足を載せるフィトレストがあった方が良い。本考案は、このフィトレストに関するものであり、この背景技術としての足載せ台は各種のものが開示されている。しかしながら本考案に類似するものは従来技術として見当らないが近いものとして「特許文献１」がある。
【先行技術文献】
【特許文献】
【０００３】
【特許文献１】特開２０１２−２４９８６（図１）
【考案の概要】
【考案が解決しようとする課題】
【０００４】  「特許文献１」の「特開２０１２−２４９８６」は脚柱に対し足載せ台が位置ずれするのを防止する形態のものがあり、本考案のように使用時に水平位置と不使用時における垂直位置に回動するものではない。一方、水平位置と垂直位置に回動する足載せ台も存在すると思うがそれ等は単に水平位置と垂直位置に回動するだけのものであり、後に説明する本考案のように水平状態と垂直状態に正しく保持すると共に水平位置と垂直位置との変動が楽に出来るものは見当らない。また、フィトレストの取付位置を変化させる形態のものも見当らない。【０００５】  本考案は以上の事情に鑑みて考案されたものであり、足載せ台の取付位置を変化させることが出来ると共に水平位置や垂直位置への変化が容易に、かつ円滑に出来ると共にその位置保持が確実に出来る介護用歩行機のフィトレストを提供することを目的とする。
【課題を解決するための手段】
【０００６】  本考案は以上の目的を達成するために請求項１の考案は、タイヤやキャスタを支持する下部フレームに下端側を回動自在に保持されて立ち上がるガイド柱体と該ガイド柱体に摺動可能に保持される摺動柱体と該摺動柱体に回動自在に保持され座接用クッション板や背当てを夫々片持ち回動自在に支持する座接用サイドフレームと該座接用サイドフレームを上下動させる上下動機構部や把持用部材及びブレーキ等を有する介護用歩行機に使用者の足載せ用に前記下部フレーム側に回動自在に支持されるフィトレストであって、該フィトレストは前記下部フレームに上下動及び前後動可能に支持される足載せ用機構部と該足載せ用機構部に回動自在に支持される足載せ用回動機構部と該足載せ用回動機構部に搭載される足載せ板と該足載せ板と前記足載せ用機構部との間に連結されるスプリングとを有することを特徴とする。
【考案の効果】
【０００７】  本考案の請求項１の介護用歩行機のフィトレストによれば、足載せ台を搭載する足載せ用回動機構部は足載せ用機構部に水平位置か垂直位置に回動可能に保持され足載せ用機構部は介護用歩行機の下部フレームに取付位置が変化出来るように保持される。また、足載せ台は足載せ用回動機構部に保持位置が安定的に保持されると共にスプリングにより水平位置から垂直位置及びこの逆が容易に、かつ軽く出来る用に形成される効果を有する。
【図面の簡単な説明】
【０００８】
【図１】  本考案のフィトレストが設けられている介護用歩行機の全体構造を示す斜視図。
【図２】  足載せ台が水平位置である状態を示す斜視図。
【図３】  足載せ台が垂直位置にある状態を示す斜視図。
【考案を実施するための形態】
【０００９】  以下、本考案の介護用歩行機のフィトレストの実施の形態を図面に基づいて詳説する。
【実施例１】
【００１０】  まず、本考案のフィトレストが設けられている介護用歩行機の全体構造の概要を説明する。
タイヤ５やキャスタ６が取り付けられている下部フレーム７にはガイド柱体８が回動可能に取り付けられ使用時には図示の如く水平状態に保持される。このガイド柱体８には摺動柱体９が摺動自在に保持される。摺動柱体９には座接用サイドフレーム１０が回動自在に保持される。この座接用サイドフレーム１０には被介護人が座接する座接用クッション板１１や背当て１２が支持されている。また、座接用サイドフレーム１０は上下動機構部１３により上下動可能に支持されている。その他保持用部材１４やブレーキ１５等が設けられている。【００１１】  本考案は以上の構造の介護用歩行機の下部フレーム７に設けられている。このフィトレスト１００は下部フレーム７に前後方向及び上下方向に移動可能に取り付けられている。足載せ用回動機構部２はこの足載せ用機構部１の上下動板１ｃに回動自在に支持される。また、フィトレスト１００は足載せ用回動機構部２とこの足載せ用回動機構部２に搭載される足載せ板３と足載せ板と足載せ用機構部１の下部板１ｄとの間に連結されるスプリング４とから構成される。以下その詳細構造を説明する。【００１２】  図２に示すように足載せ用機構部１は下部フレーム７に上下動及び前後可能に取り付けられている下部板１ｄとこれに上部を固定して垂下して取り付けられている垂直板１ｂと垂直板１ｂに上下動可能に取り付けられている上下動板１ｃと垂直板１ｂの下部に固定されて水平方向に配置される下部板１ｄとから構成される。【００１３】  足載せ用回動機構部２は基端側を上下動板１ｃに回動可能に連結される回動部２ａと回動部２ａに連結して伸びる保持板２ｂとから構成される。【００１４】  被介護人の足が載る足載せ板３は図３に示すように保持板２ｂに搭載されて固定されるものからなる。【００１５】  スプリング４は図２及び図３に示すように足載せ用機構部１の下部板１ｄと足載せ板３との間に連結されて配置される。【００１６】  以上の構造により足載せ板３は水平位置や垂直位置にスプリング４等により保持されると共に足載せ用回動機構部２の回動部２ａにより水平位置や垂直位置に正しく保持されると共にスプリング４により小さな力で水平位置や垂直位置やこの逆の移動が可能に出来るように構成されている。【００１７】  以上の構造により介護用歩行機に座接した被介護人は自身の足を安定に支持されて移動出来ると共に不使用時には足載せ板３を簡単に垂直位置に保持することが出来る。
また、本考案では足載せ板３の上下や前後位置を自動的に変化させることは出来ないが自動移動は容易に出来、別の機会に開示する予定である。【００１８】  本考案は、以上の説明の内容からなるが、その内容に限定するものではなく、同一の技術的範疇のものが適用されることは勿論である。
【産業上の利用可能性】
【００１９】  本考案は以上の説明の内容の介護用歩行機に適用された場合について説明したが歩行機は以上の内容のものに限定するものではなく、他の形態のものにも適用され、その利用範囲は広い。
【符号の説明】
【００２０】  １      足載せ用機構部
１ａ    上部板
１ｂ    垂直板
１ｃ    上下動板
１ｄ    下部板
２      足載せ用回動機構部
２ａ    回動部
２ｂ    保持板
３      足載せ板
４      スプリング
５      タイヤ
６      キャスタ
７      下部フレーム
８      ガイド柱体
９      摺動柱体
１０    座接用サイドフレーム
１１    座接用クッション板
１２    背当て
１３    上下動機構部
１４    保持用部材
１５    ブレーキ
１００  介護用歩行機のフィトレスト
【図１】
0003216035.tif 000003
【図２】
0003216035.tif 000004
【図３】
0003216035.tif 000005